(57)【要約】【課題】  立体性ならびに透光性に優れた審美感の高いステンドグラス装飾体を低コストで提供する。【解決手段】  結合して一つのステンドグラス装飾デザインを形成する第１ステンドグラス装飾体３ならびに第２ステンドグラス装飾体５、６からなる立体ステンドグラス装飾体であって、第１ステンドグラス装飾体３は、略平面状の透明または半透明のステンドグラスを切断して形成した小片２の切断端面に銅箔８を固着し、上記小片を装飾デザインに基づき近接させて同小片２の対向する銅箔８を半田付して繋ぎ合わせて平面または曲面を形成すると共に、第２ステンドグラス装飾体５、６は、第１ステンドグラス装飾体３に、第２ステンドグラス装飾体５、６を構成する、略平面状の透明または半透明の着色ステンドグラスを加熱変形した加工小片４を順次接合するか、又は、予め前記加工小片４を接合して完成したものを第１ステンドグラス装飾体３に接合してステンドグラス装飾デザインに基づく透光性を有する立体形状体を形成した。【選択図】  図１
2005205663.tif 000002
【特許請求の範囲】
【請求項１】
結合して一つのステンドグラス装飾デザインを形成する第１ステンドグラス装飾体ならびに第２ステンドグラス装飾体からなる立体ステンドグラス装飾体であって、第１ステンドグラス装飾体は、略平面状の透明又は半透明のステンドグラス小片を繋ぎ合わせて形成すると共に、第２ステンドグラス装飾体は、立体的に変形したステンドグラス小片を上記ステンドグラス装飾デザインに基づいて結合し、上記第１ステンドグラス装飾体には、第２ステンドグラス装飾体への透光を阻害しないよう切欠きを設けたことを特徴とする立体ステンドグラス装飾体。
【請求項２】
結合して一つのステンドグラス装飾デザインを形成する第１ステンドグラス装飾体ならびに第２ステンドグラス装飾体からなる立体ステンドグラス装飾体であって、第１ステンドグラス装飾体は、略平面状の透明または半透明のステンドグラスを切断して形成した小片の切断端面に銅箔を固着し、上記小片を装飾デザインに基づき近接させて同小片の対向する銅箔を半田付して繋ぎ合わせて平面または曲面を形成すると共に、第２ステンドグラス装飾体は、第１ステンドグラス装飾体に、第２ステンドグラス装飾体を構成する、略平面状の透明または半透明の着色ステンドグラスを加熱変形した加工小片を順次接合するか、又は、予め前記加工小片を接合して完成したものを第１ステンドグラス装飾体に接合してステンドグラス装飾デザインに基づく透光性を有する立体形状体を形成したことを特徴とする立体ステンドグラス装飾体の製造方法。
【請求項３】
第２ステンドグラス装飾体の小片同士の接合ならびに第１ステンドグラス装飾体と第２ステンドグラス装飾体との接合は、第１もしくは第２ステンドグラス装飾体の小片の外周端面に固着した銅箔間を半田付もしくは銅線を介して半田付するか、第２ステンドグラス装飾体の小片間を接着剤で接着することにより行うことを特徴とする請求項２記載の立体ステンドグラス装飾体の製造方法。
【請求項４】
第２ステンドグラス装飾体の小片は、切断端面が丸みを持つよう加熱変形させることを特徴とする請求項２または３記載の立体ステンドグラス装飾体の製造方法。
【発明の詳細な説明】
【技術分野】
【０００１】
本発明は、電気スタンドのシェード、窓、衝立等に用いるステンドグラス製品ならびにその製造方法に関するものである。
【背景技術】
【０００２】
一般に、ステンドグラス製品は、着色（半）透明のガラス小片を繋ぎ合わせ、形成された面に光を透過させることにより審美性の高い工芸品として電気スタンドのシェード、窓等に多く用いられている。そして、図７に示すように電気スタンドのシェードにステンドグラスを用いた場合、シェードの裾の部分にバラの図柄等の大柄の模様をあしらったデザインのステンドグラス製品を作成したい場合、これを従来の平面ガラスの小片を繋ぎ合わせる方法で構成すると、上記大柄模様の立体的なデザインを表現することは難しかった。
【０００３】
ステンドグラス装飾体の外形形状に合わせて、ステンドグラス小片を平面でなく、曲面状にしたステンドグラス小片を用いてステンドグラス製品を作成したもの（特許文献１参照）も存在するが、これも、ステンドグラス小片を単純に繋ぎ合わせる点において変わるところがなく、立体的な表現を可能にすることは難しかった。
【０００４】
【特許文献１】特開平１１−１１５３９６号公報
【発明の開示】
【発明が解決しようとする課題】
【０００５】
立体性を高めるため、例えば、大柄模様の従来の方法で別途作成したステンドグラス装飾体を乳白色のステンドグラス装飾体に貼り付けたものも存在するが、大柄模様の部分と乳白色のステンドグラスの部分とが二重になり、透光性が悪くなると共に、貼り付けた大柄模様のステンドグラス部分の立体性は、従来方法の平面小片の繋ぎ合わせで形成しているため、ダイナミックな立体性について十分なものが得られなかった。
【０００６】
本発明は、上記課題を解決して、ステンドグラス製品でありながら、立体性ならびに透光性に優れた審美感の高いステンドグラス装飾体を提供することを目的とする。
【課題を解決するための手段】
【０００７】
上記の目的を達成するために、本発明の立体ステンドグラス装飾体は、結合して一つのステンドグラス装飾デザインを形成する第１ステンドグラス装飾体ならびに第２ステンドグラス装飾体からなる立体ステンドグラス装飾体であって、第１ステンドグラス装飾体は、略平面状の透明又は半透明のステンドグラス小片を繋ぎ合わせて形成すると共に、第２ステンドグラス装飾体は、立体的に変形したステンドグラス小片を上記ステンドグラス装飾デザインに基づいて結合し、上記第１ステンドグラス装飾体には、第２ステンドグラス装飾体への透光を阻害しないよう切欠きを設けたことを特徴とする。
また、本発明の立体ステンドグラス装飾体の製造方法は、結合して一つのステンドグラス装飾デザインを形成する第１ステンドグラス装飾体ならびに第２ステンドグラス装飾体からなる立体ステンドグラス装飾体であって、第１ステンドグラス装飾体は、略平面状の透明または半透明のステンドグラスを切断して形成した小片の切断端面に銅箔を固着し、上記小片を装飾デザインに基づき近接させて同小片の対向する銅箔を半田付して繋ぎ合わせて平面または曲面を形成すると共に、第２ステンドグラス装飾体は、第１ステンドグラス装飾体に、第２ステンドグラス装飾体を構成する、略平面状の透明または半透明の着色ステンドグラスを加熱変形した加工小片を順次接合するか、又は、予め前記加工小片を接合して完成したものを第１ステンドグラス装飾体に接合してステンドグラス装飾デザインに基づく透光性を有する立体形状体を形成したことを特徴とする。
【発明の効果】
【０００８】
本発明の立体ステンドグラス装飾体によれば、以上の通り、ステンドグラス装飾体を二つの部分に分離して、一方のステンドグラス装飾体は、加熱変形させたステンドグラス小片を接合して立体的装飾体を形成し、これをもう一方のステンドグラス装飾体の透光性を確保した切欠部に配置、連結することにより、ステンドグラス製品としての透光的審美性とガラス材の持つ立体的審美性を併せ持つ極めて豪華なステンドグラス装飾体を低コストで実現するものである。
【発明を実施するための最良の形態】
【０００９】
１〜３図において、１は、電気スタンドのシェードを構成するステンドグラス装飾体で、台形状の乳白色の平面ステンドグラス小片２を組み合わせて形成した多角錐状の第１ステンドグラス装飾体３と、この第１ステンドグラス装飾体３の裾部３ａに位置して、ステンドグラス小片４を組み合わせて形成したバラ模様等の大柄模様を立体的に造形した第２ステンドグラス装飾体５、６とを接合して一つの統一性のある装飾体を構成している。
以下具体的な構成とその製造方法について説明する。第１ステンドグラス装飾体３は、まず、乳白色のステンドグラス平板（凹凸があってもよい。）をデザインに合わせて台形状に切断した複数のステンドグラス小片２を作成する。図４において、上記ステンドグラス小片２を多数繋ぎ合わせて電気スタンドのシェード部分を形成するため、上記ステンドグラス小片２の切断端面２ａならびにこの切断端面２ａに連続するステンドグラス小片２の一部表裏面にわたって、感圧性接着剤７を塗布した銅箔テープ８を貼り付けてステンドグラス小片２に銅箔テープ８を固着する。この銅箔テープ８を固着したステンドグラス小片２を電気スタンドのシェードの形状をした台座（図示せず。一般に使用されているもの。）の上にならべる。そして、台座の型に合わせてステンドグラス小片２を近接させて、同ステンドグラス小片２の端面２ａに固着した銅箔テープ８の対向する隙間１０に溶融する半田１１を流し込んで接合する。この時、上記台座は、作業を容易にし、かつ溶融半田１１が流れ落ちないよう半田溶融部分が水平状態に傾けられるように構成されている。半田付けを終えてステンドグラス小片２が連結したものを台座から抜き取ることにより第１ステンドグラス装飾体３が完成する。第１ステンドグラス装飾体３の裾部３ａには、第２ステンドグラス装飾体５、６が配置される部分に電気スタンドの光源からの光が上記第２ステンドグラス装飾体を透過することを妨げないようステンドグラス小片２に適切な切欠部１２が形成されている。
【００１０】
第２ステンドグラス装飾体５、６は、バラの花弁あるいはバラの葉に相当する赤色や緑色の多数のステンドグラス小片４で構成され、各小片４は、全体的に立体性を現出するため、デザインに合わせて自由に変形させており、隣接する小片４、４とは、前記図４、５に示すように、小片端面に固着した銅箔テープ８、８同士を半田付するか、あるいは耐熱性の接着剤等により接合して形成されている。第２ステンドグラス装飾体５、６の各小片４は、加熱炉等の加熱手段により約６００〜８００℃のガラス軟化温度以上のの雰囲気下で加熱して適当な挟み工具を用いて変形する。そして、上記加熱雰囲気でステンドグラス小片の切断端面は、軟化溶融して適度な丸みが形成され、良好な審美性を発揮する形状に工作される。
【００１１】
完成した第２ステンドグラス装飾体５、６を第１ステンドグラス装飾体３に取付ける方法について説明する。第２ステンドグラス装飾体５、６の小片４の端面外周の一部には、第１ステンドグラス装飾体３の小片２の一部に形成した銅箔テープ８と同様の銅箔テープ１３が形成されており、両銅箔テープ８、１３が近接している部分には、銅箔同士を半田付する。すなわち、そのまま対向する銅箔テープ８、１３間に半田１４を流して連結する。銅箔テープ８、１３の位置が第１ステンドグラス装飾体３と第２ステンドグラス装飾体５、６間で離れている場合は、適切な長さに切断した銅線１５を用い、この銅線１５とそれぞれの銅箔テープ８、１３とを半田付けにより接合する。銅線１５は、適宜長さ、曲げ度合いを調整することにより連結位置がずれていても接合可能である。（図６）
なお、本実施形態では、予め、第２ステンドグラス装飾体５、６を完成してから、第１ステンドグラス装飾体３と第２ステンドグラス装飾体５、６を結合することにより、両者を一体化したが、第２ステンドグラス装飾体５、６は、第１ステンドグラス装飾体３上に第２ステンドグラス装飾体５、６の小片４を順次接合して第２ステンドグラス装飾体５、６を完成していくことも可能である。この場合、第１ステンドグラス装飾体３の小片２と第２ステンドグラス装飾体５、６の小片４との接合は、前記の半田付方法と同様にすればよい。また、半田付に替えて接着剤を用いることも可能である。
さらにまた、本実施形態では、電気スタンドのシェードについて説明したが、これに限定されるものではなく、窓、衝立等に広く応用可能である。
【産業上の利用可能性】
【００１２】
本発明は、広く普及し、日常多用されるステンドグラス装飾品に適用できるもので、産業上の利用性を満足するのは勿論、立体的な審美性、意匠性の高い製品に適用できる。
【図面の簡単な説明】
【００１３】
【図１】本発明の立体ステンドグラス装飾体の斜視図である。
【図２】本発明の第１ステンドグラス装飾体の斜視図である。
【図３】（ａ）、（ｂ）本発明の第２ステンドグラス装飾体の斜視図である。
【図４】ステンドグラス小片と銅箔テープの関係を示す断面図である。
【図５】ステンドグラス小片の半田付け状態を示す断面図である。
【図６】第１ステンドグラス装飾体と第２ステンドグラス装飾体の連結状態を示す説明図である。
【図７】従来のステンドグラス装飾体の斜視図である。
【符号の説明】
【００１４】
１            立体ステンドグラス装飾体
２、４        ステンドグラス小片
２ａ          端面
３            第１ステンドグラス装飾体
５、６        第２ステンドグラス装飾体
８、１３      銅箔（テープ）
１１、１４    半田
【図１】
2005205663.tif 000003
【図２】
2005205663.tif 000004
【図３】
2005205663.tif 000005
【図４】
2005205663.tif 000006
【図５】
2005205663.tif 000007
【図６】
2005205663.tif 000008
【図７】
2005205663.tif 000009